(57)【要約】【課題】接続不良が生じにくく、部品点数、端子接続作業工数を削減できる端子接続構造を提供する。【解決手段】バスバー１９の端子接続部２１が、第１係止部３１と第２係止部３３を備え、電線端部に後端部が固定された接続端子２９の板状電気接続部５９が、端子接続部２１に対向する側に凸の湾曲形状に形成されると共に、先端部に形成された第１係合部４５が第１係止部３１に係止され、電線固定側に形成された第２係合部４７が、板状電気接続部５９を端子接続部２１に圧接させた状態で第２係止部３３に係止される。【選択図】図１
2014135224.tif 000002
【特許請求の範囲】
【請求項１】
金属板の端子接続部が、第１係止部と第２係止部を備え、
電線端部に後端部が固定された接続端子の板状電気接続部が、前記端子接続部に対向する側に凸の湾曲形状に形成されると共に、先端部に形成された第１係合部が前記第１係止部に係止され、電線固定側に形成された第２係合部が、前記板状電気接続部を前記端子接続部に圧接させた状態で前記第２係止部に係止されることを特徴とする端子接続構造。
【請求項２】
前記第１係止部が、前記接続端子の前後方向に沿って前記端子接続部に併設された一対のスリット開口とされ、
前記第２係止部が、前記端子接続部に切り起こし形成した切り起こし片の先端を折り返したフック形状とされ、
前記第１係合部が、前記一対のスリット開口に挿通される断面コ字形のフック形状とされ、
前記第２係合部が、前記第２係止部の切り起こし片が挿入されて折返した先端が開口縁上面に当接する係合開口とされることを特徴とする請求項１に記載の端子接続構造。
【発明の詳細な説明】
【技術分野】
【０００１】
本発明は、端子接続構造に関する。
【背景技術】
【０００２】
乗用車やトラック等に搭載されてバッテリの充放電電流を検出する電流検出装置や、バッテリ端子を介してバッテリポストに直付けされるヒューズユニットなどにおいて、バスバー（金属板）に貫通形成した円形の取付孔とケーブルのＬＡ端子（接続端子）とにボルトを挿通してナットで締結することにより、ケーブルをバスバーに着脱自在に取り付ける端子接続構造が知られている（例えば、特許文献１参照）。
図５に示すように、電流検出装置５０１に用いられる端子接続構造では、装置ハウジング５０３にインサート成形されたバスバー５０５の端子接続部５０７が表裏面を表出して設けられる。端子接続部５０７には、バスバー穴５０９が穿設されている。ケーブル５１１の末端には、端子穴５１３を設けたＬＡ端子５１５が圧着固定されている。ＬＡ端子５１５は、端子穴５１３に挿通されたボルト５１７の軸部５１９がバスバー穴５０９に挿通され、ナット５２１により締結されることによって、接圧を確保した状態でバスバー５０５の端子接続部５０７と導通接続される。
【０００３】
即ち、このようなボルト５１７とナット５２１を用いた端子接続構造における締結作業では、バスバー５０５の端子取付面にＬＡ端子５１５をセット（配置）し、端子穴位置とバスバー穴位置を合わせる。次に、斜め締め付け防止のためボルト５１７を仮締めした後、ボルト５１７を本締めする。そして最後に、ボルト５１７の緩みを確認する。
【先行技術文献】
【特許文献】
【０００４】
【特許文献１】特開２０１１−１４１１９１号公報
【発明の概要】
【発明が解決しようとする課題】
【０００５】
しかしながら、上述した従来の端子接続構造では、ボルト５１７とナット５２１を用いてバスバー５０５とＬＡ端子５１５の接圧を確保しているため、ねじの締付不良（斜め締め付けや、過締付によるねじ山の破損）等による接続不良を発生する可能性がある。また、締結部材である少なくともボルト５１７とナット５２１の２部品が必要となり（緩み止めとして、ワッシャー、スプリングワッシャー、菊座金等が更に必要となる場合もあり）、部品点数、部品重量が増加する。また、ボルト５１７とナット５２１を用いた端子接続構造における締結作業では、仮締め、本締め、確認作業が必要となる。仮締め時の締結作業では、ＬＡ端子５１５の穴位置、バスバー５０５の穴位置を合わせる作業が必要となる。更に、所定の締め付けトルクでの締結を行うためには、トルクレンチが必要となる場合もあり、複数箇所の接続では作業が煩雑となる。
【０００６】
本発明は上記状況に鑑みてなされたもので、その目的は、接続不良が生じにくく、部品点数、端子接続作業工数を削減できる端子接続構造を提供することにある。
【課題を解決するための手段】
【０００７】
本発明に係る上記目的は、下記構成により達成される。
（１）  金属板の端子接続部が、第１係止部と第２係止部を備え、電線端部に後端部が固定された接続端子の板状電気接続部が、前記端子接続部に対向する側に凸の湾曲形状に形成されると共に、先端部に形成された第１係合部が前記第１係止部に係止され、電線固定側に形成された第２係合部が、前記板状電気接続部を前記端子接続部に圧接させた状態で前記第２係止部に係止されることを特徴とする端子接続構造。
【０００８】
上記（１）の構成の端子接続構造によれば、接続端子の第１係合部を端子接続部の第１係止部に係止させた状態で、湾曲形状を有する板状電気接続部を端子接続部に押し付けて弾性変形させながら接続端子の第２係合部を端子接続部の第２係止部に係止させる。すると、第１係合部と第２係合部が端子接続部に係止固定された接続端子は、端子接続部側に凸となって湾曲した板状電気接続部が弾性反発力で端子接続部に強く圧接された状態で保持され、金属板との高い接触荷重が得られる。これにより、ボルト・ナットを用いることなく、端子接続部に接続端子を確実に接続固定することができる。
電線端部に後端が固定された接続端子そのものが固定構造部（第１係合部と第２係合部）を有して、被固定構造部（第１係止部と第２係止部）を有する金属板に直接固定されるので、固定のための別体の締結手段が不要になる。これら固定構造部及び被固定構造部は、接続端子や金属板をプレス加工するだけで形成することができる。
【０００９】
（２）  上記（１）の構成の端子接続構造であって、前記第１係止部が、前記接続端子の前後方向に沿って前記端子接続部に併設された一対のスリット開口とされ、前記第２係止部が、前記端子接続部に切り起こし形成した切り起こし片の先端を折り返したフック形状とされ、前記第１係合部が、前記一対のスリット開口に挿通される断面コ字形のフック形状とされ、前記第２係合部が、前記第２係止部の切り起こし片が挿入されて折返した先端が開口縁上面に当接する係合開口とされることを特徴とする端子接続構造。
【００１０】
上記（２）の構成の端子接続構造によれば、接続端子の断面コ字形のフック形状となった第１係合部が、第１係止部である一対のスリット開口の一方から裏側へ挿入されて金属板の裏側から再びスリット開口の他方を通って金属板の表側へと突出される。そこで、第１係合部は金属板表面から離反しない方向に、第１係止部により確実に係止される。接続端子の係合開口となった第２係合部が、先端がフック形状となって切り起こされた第２係止部に外挿されることで、一旦弾性変形した第２係止部は弾性復帰して係合開口の開口縁上面に係止される。この係合開口による係止は、圧接された板状電気接続部の弾性復元力によって第２係止部の折り返した先端が開口縁上面に強く当接し、解除されにくくなる。
【発明の効果】
【００１１】
本発明に係る端子接続構造によれば、接続不良が生じにくく、部品点数、端子接続作業工数を削減できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】本発明の一実施形態に係る端子接続構造を備えた電流検出装置の斜視図である。
【図２】図１に示したハウジングにおける端子接続部の要部拡大図である。
【図３】図２に示した端子接続部への接続端子の装着手順を説明する要部断面図である。
【図４】図３に示した接続端子の板状電気接続部の変形状況を説明する概念図である。
【図５】従来の端子接続構造を備えた電流検出装置の斜視図である。
【発明を実施するための形態】
【００１４】
以下、本発明に係る実施形態を図面を参照して説明する。
図１及び図２に示すように、本発明の一実施形態に係る端子接続構造は、例えば車両用バッテリの充放電電流を検出するための電流検出装置１１に用いることができる。電流検出装置１１は、絶縁樹脂製のハウジング１３を有する。ハウジング１３には、複数の隔壁１５によって仕切られた表裏４つのバスバー表出部１７が形成され、それぞれのバスバー表出部１７は不図示の電流検出回路に接続されるバスバー（金属板）１９の端子接続部２１を表出させる（図２参照）。
バスバー１９は、導電性金属材料からなる一枚の板状部材をプレス成形することにより形成され、端子接続部２１が略矩形状となっている。バスバー１９には、導電性が良好で且つバネ性を有する合金材料（例えばリン青銅等）が好適に用いられる。
【００１５】
ハウジング１３にインサート成形されてバスバー表出部１７に表出する端子接続部２１の下面側には、空隙２７（図３参照）が確保される。端子接続部２１には略矩形板状の板状電気接続部５９を備えた接続端子２９が取り付けられるが、上記空隙２７は、その一部が接続端子２９の取り付けの際に利用される。
【００１６】
バスバー１９の端子接続部２１は、第１係止部３１と第２係止部３３を備えている。第１係止部３１は、端子接続部２１の表出基端側（図２中、右側）に形成される。第１係止部３１は、端子接続部２１に接続固定される接続端子２９の前後方向に沿って端子接続部２１に併設された一対のスリット開口３５ａ，３５ｂとされる。スリット開口３５ａ，３５ｂは、接続固定される接続端子２９の左右幅方向に沿って長く、接続端子２９の前後方向に離間して平行に配設される。従って、一対のスリット開口３５ａ，３５ｂ同士の間は、梁部３７となる。スリット開口３５ａ，３５ｂ及び梁部３７の下方は、少なくとも上記空隙２７の一部となっている。
【００１７】
第２係止部３３は、端子接続部２１の表出先端側（図２中、左側）に形成される。第２係止部３３は、端子接続部２１に切り起こし形成した切り起こし片３９の先端を折り返したフック形状とされる（図３参照）。フック形状とされた切り起こしフック爪４１は、本実施形態において、端子接続部２１の表出先端側に折り返されている。切り起こしフック爪４１の先端と端子接続部２１の表面との間には、間隙が確保されている。この間隙は、少なくとも接続端子２９の板厚以上に確保される。
【００１８】
なお、本実施形態では、切り起こしフック爪４１が端子接続部２１の表出先端側に折り返されるが、切り起こしフック爪４１は、端子接続部２１の表出基端側に折り返されてもよい。また、切り起こしフック爪４１が端子接続部２１の幅方向に二分割され、分割された一方の爪片が端子接続部２１の表出先端側に折り返され、分割された他方の爪片が端子接続部２１の表出基端側に折り返される構成としてもよい。
【００１９】
一方、バスバー１９の端子接続部２１に取り付けられる接続端子２９は、一枚の板状部材をプレス成形することにより形成される。この接続端子２９にも導電性が良好で且つバネ性を有する合金材料（例えばリン青銅等）が好適に用いられる。
接続端子２９は、後端部に導体圧着部４３が形成され、この導体圧着部４３によって電線端部に固定される。後端部が電線端部に固定された接続端子２９の板状電気接続部５９は、端子接続部２１に対向する側に凸の湾曲形状に形成される。更に、板状電気接続部５９の先端部には第１係合部４５が形成され、電線固定側には第２係合部４７が形成されている。板状電気接続部５９の凸面側には、端子接続部２１との導通性を高めるためのインデント６１が突設されていてもよい。
【００２０】
本実施形態の第１係合部４５は、端子接続部２１の一対のスリット開口３５ａ，３５ｂに挿通される断面コ字形のフック形状とされる。フック形状とされた第１係合部４５は、先端側の端子フック爪４９と基端屈曲部５１の間が係止凹部５３となる。この係止凹部５３には、スリット開口３５ａ，３５ｂ間の上記梁部３７が嵌合配置される（図３参照）。
本実施形態の第２係合部４７は、導体圧着部４３に近い電線固定側に形成される。第２係合部４７は、第２係止部３３の切り起こし片３９が挿入されて折返した先端（切り起こしフック爪４１）が開口縁上面５５に当接する矩形状の係合開口５７とされる。
【００２１】
そして、接続端子２９の第１係合部４５（端子フック爪４９）が第１係止部３１（スリット開口３５ａ，３５ｂ）に係止され、第２係合部４７（係合開口５７）が、板状電気接続部５９を端子接続部２１に圧接させた状態で第２係止部３３（切り起こしフック爪４１）に係止される。
【００２２】
次に、上記構成を有する端子接続構造の作用を説明する。
図３に示すように、本実施形態に係る端子接続構造では、接続端子２９の第１係合部４５を端子接続部２１の第１係止部３１に係止させた状態で、湾曲形状を有する板状電気接続部５９を端子接続部２１に押し付けて弾性変形させながら接続端子２９の第２係合部４７を端子接続部２１の第２係止部３３に係止させる。
【００２３】
すると、第１係合部４５と第２係合部４７が端子接続部２１に係止固定された接続端子２９は、端子接続部２１側に凸となって湾曲した板状電気接続部５９が弾性反発力で端子接続部２１に強く圧接された状態で保持され、バスバー１９との高い接触荷重が得られる。板状電気接続部５９を端子接続部２１に押し付ける際には、第１係合部４５が支点となり、導体圧着部４３側が力点となって、てこの原理により押圧力が作用点である板状電気接続部５９に加えられるので、小さな押圧作業力で接続端子２９を強く圧接された状態に保持させることができる。
このように、本実施形態の端子接続構造では、バスバー１９と接続端子２９との接触荷重を高くできるため、許容電流値を大きくでき、汎用性を高めることができる。
接続端子２９は、板状電気接続部５９が図４中の想像線で示す初期においては、傾斜の大きい湾曲形状で端子接続部２１に接する。一方、板状電気接続部５９が図４中の実線で示す第１係合部４５及び第２係合部４７の係止完了時には、傾斜の小さい湾曲形状で端子接続部２１に接する。この傾斜の小さい湾曲形状は、板状電気接続部５９が弾性反発力を残した状態となっている。このように、本実施形態の端子接続構造では、板状電気接続部５９の形状、及び端子材料の特性（導電性・バネ性）を活かした接圧の確保が行われる。これにより、ボルト・ナットを用いることなく、端子接続部２１に接続端子２９を確実に接続固定することができる（その結果、ねじの締付不良等による接続不良が無く、端子接続構造のコンパクト化が可能となる）。
【００２４】
また、電線端部に後端が固定された接続端子２９そのものが固定構造部（第１係合部４５と第２係合部４７）を有して、被固定構造部（第１係止部３１と第２係止部３３）を有するバスバー１９に直接固定されるので、固定のための別体の締結手段が不要になる。これら固定構造部及び被固定構造部は、接続端子２９やバスバー１９をプレス加工するだけで形成することができる（その結果、部品点数を削減できる）。
【００２５】
更に、本実施形態の端子接続構造では、接続端子２９を持ち、第１係合部４５を第１係止部３１に係止した後、接続端子２９の導体圧着部４３側を端子接続部２１側に押し下げ、第２係合部４７を第２係止部３３に引っ掛けることで、接続端子２９のバスバー１９への圧接固定が容易に完了する。接続端子２９は、湾曲形状に形成された板状電気接続部５９の弾性反発力により、第１係合部４５及び第２係合部４７が確実に係止され、バスバー１９との高い接触荷重が得られ、且つ一連の作業を完了させることで常に所定の接触荷重が得られる。このため、従来のボルト５１７とナット５２１を用いた端子接続構造のおける端子穴とバスバー穴との位置合わせ作業や、斜め締め付け防止のためのボルト仮締め作業、ボルト本締め作業、ボルト緩み確認作業が不要となる。また、所定締め付けトルクを確認するためのトルクレンチも不要となる（その結果、端子接続作業工数を削減できる）。
【００２６】
また、本実施形態の端子接続構造では、接続端子２９の断面コ字形のフック形状となった第１係合部４５が、先ず、端子接続部２１の表出先端側のスリット開口３５ａから裏側へ挿入され、空隙２７を迂回してバスバー１９の裏側から再び端子接続部２１の表出基端側のスリット開口３５ｂを通ってバスバー１９の表側へと突出される。これにより、第１係合部４５はバスバー１９の表面から離反しない方向で、且つ電線引っ張り方向に移動しない方向に、第１係止部３１により確実に係止される。
【００２７】
更に、接続端子２９の係合開口５７となった第２係合部４７が、先端がフック形状となって切り起こされた第２係止部３３に外挿されることで、一旦弾性変形した第２係止部３３は弾性復帰して係合開口５７の開口縁上面５５に係止される。この係合開口５７による係止は、圧接された板状電気接続部５９の弾性復元力によって第２係止部３３の折り返した先端が開口縁上面５５に強く当接し、解除されにくくなる。
【００２８】
従って、本実施形態に係る端子接続構造によれば、接続不良が生じにくく、部品点数、端子接続作業工数を削減できる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００２９】
１１…電流検出装置
１９…バスバー（金属板）
２１…端子接続部
２９…接続端子
３１…第１係止部
３３…第２係止部
３５ａ，３５ｂ…スリット開口
３９…切り起こし片
４５…第１係合部
４７…第２係合部
５５…開口縁上面
５７…係合開口
５９…板状電気接続部
【図１】
2014135224.tif 000003
【図２】
2014135224.tif 000004
【図３】
2014135224.tif 000005
【図４】
2014135224.tif 000006
【図５】
2014135224.tif 000007